(57)【要約】【課題】タッチ操作可能な表示装置に対して、複数のユーザが同時にタッチ操作する場合に快適に操作できるようにする。【解決手段】このテーブルディスプレイ（１０）は、表示部（２１）に表示されている表示対象物に対して、タッチによる操作を可能とする操作パッドを表示部（２１）に表示するものである。タッチ操作を検出する操作検出部（５１）と、その検出結果によりタッチ操作における操作対象と操作内容を判定する操作判定部（５２）と、表示対象物の操作パッドを表示するパッド表示操作が行われたと判定された場合に、表示対象物を操作対象とする操作パッドの画像データを生成し、操作パッドでのタッチ操作による表示対象物への操作を実行する画像データの生成を行う操作実行部（５４）と、画像データに基づいて表示部２１に表示させる表示制御部（３０）とを備える。【選択図】図４
2015088090.tif 000002
【特許請求の範囲】
【請求項１】
表示部に表示されている表示対象物に対して、タッチによる操作を可能とする操作パッドを前記表示部に表示する操作表示装置であって、
タッチ操作を検出する操作検出部と、
前記操作検出部の検出結果によりタッチ操作における操作対象と操作内容を判定する操作判定部と、
前記操作判定部により前記表示対象物の前記操作パッドを表示するパッド表示操作が行われたと判定された場合に、前記表示対象物を操作対象とする前記操作パッドの画像データを生成し、前記操作パッドでのタッチ操作による前記表示対象物への操作を実行する画像データの生成を行う操作実行部と、
前記画像データに基づいて前記表示部に表示させる表示制御部と、
を備えることを特徴とする操作表示装置。
【請求項２】
前記表示対象物は、アプリケーション・ウィンドウ又は画像のオブジェクトであることを特徴とする請求項１に記載の操作表示装置。
【請求項３】
前記操作実行部は、前記表示対象物に最も近い表示部の画面周辺近傍に、前記操作パッドを表示することを特徴とする請求項１又は２に記載の操作表示装置。
【請求項４】
前記操作実行部は、前記操作パッドに自らを操作するボタンを設けて、前記操作パッドへのボタン操作によって、前記操作パッド自身へのタッチ操作を可能とすることを特徴とする請求項１から３のいずれか一項に記載の操作表示装置。
【請求項５】
前記操作判定部は、前記表示対象物以外の箇所に対して前記パッド表示操作が行われ場合、前記操作パッドは、前記表示部に表示されるカーソル移動の操作を対象とすると判定することを特徴とする請求項１から４のいずれか一項に記載の操作表示装置。
【請求項６】
前記操作判定部により操作内容が文字入力モードと判定された場合に、前記操作パッドに手書き手入力された文字を認識する文字認識部をさらに備え、
前記操作実行部は、前記文字認識部により認識した文字を文字画像として生成することを特徴とする請求項１から５のいずれか一項に記載の操作表示装置。
【請求項７】
表示部に表示されている表示対象物に対して、タッチによる操作を可能とする操作パッドを前記表示部に表示する操作表示方法であって、
タッチ操作を検出する操作検出ステップと、
前記操作検出ステップの検出結果によりタッチ操作における操作対象と操作内容を判定する操作判定ステップと、
前記操作判定ステップにより前記表示対象物の前記操作パッドを表示するパッド表示操作が行われたと判定された場合に、前記表示対象物を操作対象とする前記操作パッドの画像データを生成し、前記操作パッドでのタッチ操作による前記表示対象物への操作を実行する画像データの生成を行う操作実行ステップと、
前記画像データに基づいて前記表示部に表示させる表示制御ステップと、
を備えることを特徴とする操作表示方法。
【請求項８】
コンピュータに、請求項６の操作表示方法の各ステップを実行させるためのプログラム。
【発明の詳細な説明】
【技術分野】
【０００１】
本発明は、タッチパネルを備えたディスプレイに対してタッチ操作を行う操作表示装置、操作表示方法及びプログラムに関する。
【背景技術】
【０００２】
従来、大型のテーブルディスプレイなどのタッチ対応表示機器で画面を操作する際、画面が大きいと手を大きく動かしてタッチする必要があるため、タッチが快適に行えなかった。また、複数人が別々に操作を行うと、操作対象をタッチ操作で移動する場合、たとえば手が交差してしまうことがあり、操作性が悪かった。そこで、別途マウスなどの入力機器や、操作用の端末を用意する必要があった。
【０００３】
これを解決するために、特許文献１には、仮想的なタッチパッドを表示画面上に表示して、タッチパッドにより操作することが開示されている。また、特許文献２には、身体検出部によりユーザの位置などを検出して、ユーザが操作し易い位置に制御ウィンドウ（タッチパッド）を表示することが開示されている。また、特許文献３には、テーブルディスプレイにユーザが複数囲み操作する場合、共有領域を設けて、各ユーザの専用領域から共有領域を介してコピーや移動を行うものが開示されている。
【先行技術文献】
【特許文献】
【０００４】
【特許文献１】特開２０１３−１５８９０号公報
【特許文献２】特開２０１２−１０３８００号公報
【特許文献３】特開２００５−３５２５７９号公報
【発明の概要】
【発明が解決しようとする課題】
【０００５】
しかし、特許文献１の技術は、操作し易いようにタッチパッドの操作領域を拡大するものであるが、複数のユーザの同時操作を想定していない。従って、複数のユーザが同時に多方向から操作する場合には、操作性が良くなるわけではない。
【０００６】
また、特許文献２の技術では、複数のユーザが使用することを想定しながら、各ユーザが使いやすい位置にタッチパッドを表示するようになっているが、表示装置が縦置きのディスプレイであり、ディスプレイ周辺の一方向からの操作しか想定していない。従ってテーブルディスプレイのように、ディスプレイ周辺の各方向から操作される場合には、操作性が良くなるわけではない。
【０００７】
また、特許文献３の技術は、テーブルディスプレイ周辺の各方向から複数のユーザが操作し、共通領域を介してコピーや移動を行うのであるが、共通領域の位置によっては、操作距離が大きく、操作性が改善されるわけではない。
【０００８】
大画面のディスプレイに表示されたウィンドウやオブジェクトを複数人が同時にタッチ操作する場合などは、混乱をきたす可能性があり、結局はユーザが一人一人操作することになって時間がかかり、効率がよいとは言えなかった。
【０００９】
本発明は、斯かる実情に鑑み、タッチ操作可能な表示装置に対して、複数のユーザが同時にタッチ操作する場合に快適に操作できる操作表示装置、操作表示方法及びプログラムを提供しようとするものである。
【課題を解決するための手段】
【００１０】
本発明は、表示部に表示されている表示対象物に対して、タッチによる操作を可能とする操作パッドを前記表示部に表示する操作表示装置であって、
タッチ操作を検出する操作検出部と、前記操作検出部の検出結果によりタッチ操作における操作対象と操作内容を判定する操作判定部と、前記操作判定部により前記表示対象物の前記操作パッドを表示するパッド表示操作が行われたと判定された場合に、前記表示対象物を操作対象とする前記操作パッドの画像データを生成し、前記操作パッドでのタッチ操作による前記表示対象物への操作を実行する画像データの生成を行う操作実行部と、
前記画像データに基づいて前記表示部に表示させる表示制御部と、を備えることを特徴とするものである。
【００１１】
ここで、前記表示対象物は、アプリケーション・ウィンドウ又は画像のオブジェクトであることを特徴とする。
【００１２】
また、前記操作実行部は、前記表示対象物に最も近い表示部の画面周辺近傍に、前記操作パッドを表示することを特徴とする。
【００１３】
また、前記操作実行部は、前記操作パッドに自らを操作するボタンを設けて、前記操作パッドへのボタン操作によって、前記操作パッド自身へのタッチ操作を可能とすることを特徴とする。
【００１４】
また、前記操作判定部は、前記表示対象物以外の箇所に対して前記パッド表示操作が行われ場合、前記操作パッドは、前記表示部に表示されるカーソル移動の操作を対象とすると判定することを特徴とする。
【００１５】
また、前記操作判定部により操作内容が文字入力モードと判定された場合に、前記操作パッドに手書き手入力された文字を認識する文字認識部をさらに備え、前記操作実行部は、前記文字認識部により認識した文字を文字画像として生成することを特徴とする。
【００１６】
また、本発明は、表示部に表示されている表示対象物に対して、タッチによる操作を可能とする操作パッドを前記表示部に表示する操作表示方法であって、
タッチ操作を検出する操作検出ステップと、前記操作検出ステップの検出結果によりタッチ操作における操作対象と操作内容を判定する操作判定ステップと、前記操作判定ステップにより前記表示対象物の前記操作パッドを表示するパッド表示操作が行われたと判定された場合に、前記表示対象物を操作対象とする前記操作パッドの画像データを生成し、前記操作パッドでのタッチ操作による前記表示対象物への操作を実行する画像データの生成を行う操作実行ステップと、前記画像データに基づいて前記表示部に表示させる表示制御ステップと、を備えることを特徴とするものである。
【００１７】
また、本発明は、コンピュータに、前記操作表示方法の各ステップを実行させるためのプログラムである。
【発明の効果】
【００１８】
本発明によれば、表示対象物（アプリケーション・ウィンドウや画像オブジェクト）を操作対象とする操作パッドを表示するパッド表示操作が行われたときに、前記操作パッドを表示し、前記操作パッドでのタッチ操作による前記表示対象物への操作を実行するので、ユーザは操作パッドへのタッチ操作だけで表示対象物を操作できる。特に、操作対象となる表示対象物に対応する操作パッドを表示するので、ユーザも認識し易く、また操作もし易い。そして、表示対象物を大きく移動させる時も、操作パッドの操作だけですみ、また複数人のユーザであっても混乱なく同時操作が可能となるので、操作効率も向上する。
【図面の簡単な説明】
【００１９】
【図１】本発明に係る操作表示装置であるテーブルディスプレイを示す外観図である。
【図２】テーブルディスプレイで表示対象物をユーザが操作する説明図である。
【図３】操作パッドの一例を示す説明図である。
【図４】テーブルディスプレイの一例を示す機能ブロック図である。
【図５】第１実施形態における操作対象に対する操作処理を示すフローチャートである。
【図６】操作パッドの移動操作を示す説明図である。
【図７】表示対象物の移動操作を示す説明図である。
【図８】第２実施形態における手書き入力に対する操作処理を示すフローチャートである。
【図９】操作パッドによる手書き文字入力を示す説明図である。
【発明を実施するための形態】
【００２０】
以下、本発明の実施の形態を添付図面を参照して説明する。
図１は、本発明に係る操作表示装置であるテーブルディスプレイを示す外観図である。図２は、テーブルディスプレイで表示対象物をユーザが操作する説明図である。図３は、操作パッドの一例を示す説明図である。
【００２１】
＜全体構成と動作概略＞
図１及び図２に示すように、このテーブルディスプレイ１０は、タッチパネルである表示装置２０をテーブル全面に備え、複数のユーザが表示を見ながらタッチ操作を行い、処理を行う装置である。この表示装置２０は、液晶パネルなどの表示部の上側にタッチ入力部を備える構造である。
【００２２】
図２に示すように、テーブルディスプレイ１０を囲んだユーザは、表示装置２０に表示されるアプリケーション・ウィンドウＷ１，Ｗ２や画像のオブジェクトＯ１，Ｏ２に対して、矢印方向への移動操作などを表示された操作パッド１００（１００−１，１００−２，１００−３，１００４）を用いて行う。表示対象物であるアプリケーション・ウィンドウＷ１，Ｗ２やオブジェクトＯ１，Ｏ２に対して、直に各ユーザがタッチ操作で移動を行うと、移動距離が大きい場合には身を乗り出さなければならなかったり、他のユーザと腕が交差したりして、操作性が良くない。そこで、各ユーザの近くに操作パッド１００（１００−１，１００−２，１００−３，１００４）を表示させて、そこでタッチ操作によるアプリケーション・ウィンドウＷ１，Ｗ２や表示オブジェクトＯ１，Ｏ２の移動操作などを行う。操作パッド１００（１００−１，１００−２，１００−３，１００４）は、それぞれ１対１にアプリケーション・ウィンドウＷ１，Ｗ２やオブジェクトＯ１，Ｏ２に対応している。また、操作パッド１００は、操作対象となるものがない場合（操作対象となるものが指定されていない場合）は、カーソルの操作を行うものである。
【００２３】
＜表示操作パッドの外観構成＞
図３に示すように、操作パッド１００の左端には、操作パッド１００自体に対する操作ボタンが表示されている。手書き入力のための「ペンソフトリモコン」ボタン１０１、移動するための「移動」ボタン１０２、表示倍率を変えるための「変倍」ボタン１０３、回転させるための「回転」ボタン１０４、操作表示パッドを閉じるための「クローズ」ボタン１０５が備えられている。
【００２４】
また、操作パッド１００の上側及び下側には、表示装置２０に表示されている表示対象物（ウィンドウやオブジェクト）を操作するためのボタンが表示されている。上側には、選択された表示対象物を一定割合で縮小する縮小ボタン１０６、選択された表示対象物を最大化する最大化ボタン１０７、選択された表示対象物を一定割合で拡大する拡大ボタン１０８が備えられている。また、下側には、選択されたウィンドウのページを戻す前ページボタン１０９と、選択されたウィンドウのページを送る次ページボタン１１０を備える。
【００２５】
操作パッド１００のタッチパッド部（点線で囲んだ部分）１１１は、タップ、フリック、ピンチなどのタッチ操作を行う部分である。
表示対象物を移動、回転させるボタンがないが、たとえば、次のような操作で行う。移動するには、タッチパッド部１１１の２箇所を同時にタッチして、片方を移動方向にスライドさせる。回転するには、２箇所同時にタッチして、一方を回転方向に回転させる。
なお、これは表示対象物への操作の一例に過ぎず、移動ボタンや回転ボタンを設けてもよい。
【００２６】
また、操作パッド１００では、指操作によるジェスチャー操作が可能であり、表示対象物の移動、変倍、回転、最大化などを行うことが可能であり、たとえばタッチした二本の指をひねることにより回転方向と角度を操作するような様々なジェスチャー操作を設定してもよい。プレゼンタ―がスマートタッチパッドを操作することで、表示データを最適な状態に変化させることで、視聴者への最適なプレゼンテーションが可能となる。
【００２７】
操作パッド１００を表示するには、たとえば表示装置２０の表示画面を所定時間（たとえば５秒）以上長押しすることが、操作パッド１００の表示操作となる。この場合、操作対象となる表示対象物（ウィンドウやオブジェクト）を長押しすると、その表示対象物が、操作対象に指定されることになる。こうして操作パッド１００は、表示対象物に１対１で対応することになる。
【００２８】
また、長押した位置が表示対象物の存在しない箇所であれば、操作パッド１００はカーソル移動の処理を行うものとする。この場合は、ウィンドウやオブジェクトに対する操作は行わないので、表示対象物操作のボタンは、薄く表示するなどして、使用できないことをユーザに知らせる。あるいは、カーソル操作を示すために、操作パッドの隅にでもカーソルを示す画像を表示してもよい。
【００２９】
以降の実施形態では、表示画面を長押しをすることにより、操作パッド１００を出現させることにしているが、同じ箇所を２タッチすることにより操作パッド１００を出現させるなどのタッチ位置を特定できる他の操作であっても構わない。
【００３０】
＜機能ブロック構成＞
図４は、テーブルディスプレイの一例を示す機能ブロック図である。
【００３１】
テーブルディスプレイ１０は、タッチパネルである表示装置２０、表示装置２０への表示制御を行う表示制御部３０、データを記憶する記憶部４０、操作に従って処理を制御する制御部５０を備える。
【００３２】
表示装置２０は、上述したように液晶パネルなどの表示部２１の上側にタッチ入力部２２を備える構造である。
【００３３】
制御部５０は、タッチ入力部２２の入力信号からそのタッチ位置とタッチ移動を検出する操作検出部５１、検出したタッチ位置と動きから操作対象及び操作内容を判定する操作判定部５２、判定したタッチ操作に基づいて操作処理を実行して画像を生成する操作実行部５３、タッチ入力部２２の信号から文字認識を行う文字認識部５４を備える。
【００３４】
表示制御部３０は、制御部５０で生成された画像データに基づいて、表示部２１に表示を行う。
【００３５】
記憶部４０は、ハードディスクやメモリなどからなる記憶装置であり、画像データや操作処理に関わる各種データを記憶し、制御部５０とデータのやり取りを行うものである。
【００３６】
［第１実施形態］
第１実施形態は、操作パッド１００による操作対象への操作に関するものである。ペンソフトリモコンボタン１０１による手書き入力は第２実施形態として後述する。
【００３７】
図５は、第１実施形態における操作対象に対する操作処理を示すフローチャートである。
ユーザは、表示部２１の画面をタッチする（ステップＳ１）。このとき、ユーザは、表示部２１に表示されている表示対象物（ウィンドウやオブジェクト）を操作する場合は、操作対象とするウィンドウやオブジェクトにタッチする。カーソルの操作を行う場合は、操作対象が無い場所、すなわちウィンドウやオブジェクトが表示されていない場所にタッチする。
【００３８】
操作判定部５２は、タッチ操作が所定時間以上長押しされているかを判定する（ステップＳ２）。所定時間は予め設定されて、記憶部４０に記憶されており、操作判定部５２は記憶部４０から所定時間を読み出して判定に用いる。この所定時間以上長押しされている場合は、操作判定部５２は、操作パッド１００の表示指示がされたと判定する。操作実行部５３は、操作パッド表示ための画像データを生成する。表示制御部３０は、この画像データに基づいて表示部２１に操作パッド１００を表示する（ステップＳ３）。
【００３９】
このとき、操作判定部５２は、ユーザが長押ししている箇所から、ユーザが操作対象としているのが、どのウィンドウやオブジェクトであるのかを判定し、記憶部４０にそのデータを記憶する。
【００４０】
また、操作パッド１００の表示位置は予め設定されており、長押し箇所、長押し箇所の近傍、あるいは操作対象の表示対象物（ウィンドウやオブジェクト）近傍などである。図２に示すように、特に操作対象となった表示対象物に最も近い表示画面の周辺部近傍に表示してもよい。デーブルディスプレイでは、表示画面周辺に沿ってユーザがいることと、ユーザは表示画面周辺に沿って移動も可能なので、周辺部近傍に操作パッド１００を表示すれば、ユーザにとっては簡単に操作が可能となる。
また、操作パッド１００の表示位置は、ユーザが任意に設定可能としてもよい。
【００４１】
ユーザが操作パッド１００をタッチ操作する（ステップＳ４）。操作判定部５２は、操作検出部５１の検出結果から、操作パッド１００の操作ボタン１０１〜１０５へのタッチであるかを判定する（ステップＳ５）。操作ボタン１０１〜１０５へのタッチであれば、操作対象は操作パッド１００自体に対するものであるので、タッチされた操作ボタンの示す操作処理に従って、操作パッド１００に対して操作処理が行われる（ステップＳ６）。すなわち、操作判定部５２が、操作検出部５１の検出結果に基づいて、操作内容を判定し、その判定結果を操作実行部５３に送る。操作実行部５３は、操作の内容に基づいて操作パッド１００を移動、回転などを行いその画像データを生成する。表示制御部３０は、その画像データに基づいて操作パッド１００を表示部２１に表示する。
【００４２】
移動ボタン１０２がタッチされている場合は、タッチパッド部１１１におけるスライド操作やフリック操作により、その方向に操作パッド１００を移動する。
変倍ボタン１０２がタッチされている場合は、タッチパッド部１１１におけるピンチ操作により、その方向に操作パッド１００を拡大縮小する。
回転ボタン１０４がタッチされている場合は、タッチパッド部１１１における回転スライド操作により、その回転方向に操作パッド１００を回転する。
クローズボタン１０５がタッチされている場合は、操作パッド１００を閉じる（画像表示をやめる）。
【００４３】
移動や変倍については、操作パッド１００のタッチ操作と、表示部２１の画面上での移動や変倍の程度は、予め設定されており、ユーザが任意に設定することも可能である。
【００４４】
操作パッド１００の操作処理について具体例を説明する。図６は、操作パッドの移動操作を示す説明図である。
ユーザが、操作パッド１００の「移動」ボタン１０２にタッチすると、ボタン１０２の表示の白黒が反転して移動処理モードになったことが示される。ユーザが操作パッド１００のタッチパッド部１１１においてスライド操作を行うと、表示部２１の画面ではスライド方向に操作パッド１００が移動して表示される。
【００４５】
なお、表示対象物を表示装置２０での最大化表示を行った際には、最大化された表示対象物が最前面に位置し、他の表示対象物や操作パッド１００が背面に位置し、プレゼンテーションとしては都合がよい。ただし、このような表示の場合には、最大化された表示対象物に対応する操作パッド１００も背面に位置することから、最大化された表示対象物を直接タッチ操作することで、最大化する前の状態に戻すことができる。
【００４６】
次に、ステップＳ５において、操作対象が操作パッド１００ではない場合、操作対象が表示対象物（ウィンドウやオブジェクト）であるかを判定する（ステップＳ７）。操作対象は記憶部４０に、操作パッド１００を表示した段階で記憶されているので、操作判定部５２は、この操作対象データに基づいて判定する。操作対象が表示対象物であれば、操作パッド１００になされた操作に基づいて、操作対象の表示対象物に対して操作が行われる（ステップＳ８）。すなわち、操作判定部５２が、操作検出部５１の検出結果に基づいて、操作内容を判定し、その判定結果を操作実行部５３に送る。操作実行部５３は、操作の内容に基づいて操作対象の表示対象物（ウィンドウやオブジェクト）に対し移動、回転などを行い、その画像データを生成する。表示制御部３０は、その画像データに基づいて操作処理を行った表示対象物を表示部２１に表示する。
【００４７】
表示対象物（ウィンドウやオブジェクト）への操作処理は次のようになる。
縮小ボタン１０６がタッチされた場合は、一定の割合で縮小する。
最大化ボタン１０７がタッチされた場合は、表示部２１の画面最大に拡大する。
拡大ボタン１０８がタッチされた場合は、一定の割合で拡大する。
前ページボタン１０９がタッチされた場合は、操作対象のウィンドウのページを戻す。
次ページボタン１１０がタッチされた場合は、操作対象のウィンドウのページを送る。
表示対象物を移動する場合は、タッチパッド部１１１において、２箇所を同時にタッチし、一方のタッチを移動方向にスライド操作する。
表示対象物を回転する場合は、タッチパッド部１１１において、２箇所を同時にタッチし、一方のタッチを回転方向に回転スライド操作する。
【００４８】
移動や変倍については、操作パッド１００のタッチ操作と、表示部２１の画面上での表示対象物の移動や変倍の程度は、予め設定されており、ユーザが任意に設定することも可能である。
【００４９】
表示対象物の操作処理について具体例として移動操作を説明する。図７は、表示対象物の移動操作を示す説明図である。
ユーザが、操作パッド１００のタッチパッド部１１１において、２箇所を同時タッチすると、表示対象物への移動処理モードになる。さらにユーザが一方のタッチをスライド操作すると、表示部２１の画面ではスライド方向に表示対象物２０１が移動して表示される。
【００５０】
なお、操作パッド１００がどの表示対象物に対応しているかを示すために、操作パッド１００をタッチしたときに、対応する表示対象物を点滅させたり、色を濃くしたりなどして、ユーザ判別できるようにしてもよい。また、対応する表示対象物のサムネイルを操作パッド１００の隅に表示させてもよい。
【００５１】
次にステップＳ７において、操作対象が表示対象物（ウィンドウやオブジェクト）ではない場合、操作対象は特定されていないことになるので、操作対象はカーソルとなる。従って、操作パッド１００になされたタッチ操作に基づいて、カーソルに対して操作が行われる（ステップＳ９）。すなわち、操作判定部５２が、操作検出部５１の検出結果に基づいて、カーソル移動の操作内容を判定し、その判定結果を操作実行部５３に送る。操作実行部５３は、操作の内容に基づいてカーソル移動を行い、その画像データを生成する。表示制御部３０は、その画像データに基づいてカーソルを表示部２１に表示する。
【００５２】
カーソル移動については、操作パッド１００のタッチ操作と、表示部２１の画面上での表示対象物の移動や変倍の程度は、予め設定されており、ユーザが任意に設定することも可能である。
【００５３】
こうして、表示対象物（ウィンドウやオブジェクト）に１対１で対応する操作パッド１００を表示して、各表示対象物への操作をするときに、操作パッド１００でタッチ操作が可能となるので、大画面表示で、さらにユーザが複数いても、操作が混乱することなくスムーズに行うことができる。また、操作パッド１００自体をその操作パッド１００で操作可能であり、ユーザが望む位置（操作し易い位置など）に自由に、しかユーザが複数いても、操作が混乱することなくスムーズに行うことができ、操作性が向上する。操作パッド１００は、表示対象物を操作対象として指定する操作（その表示対象物の長押し操作など）を行うと、１対１に対応するものが表示されるので、ユーザには操作パッドの表示出現操作がわかりやすい。
【００５４】
［第２実施形態］
第１実施形態においては、移動・回転・拡大縮小といった表示対象物への操作について記載したが、第２実施形態は、新たな画像を追加表示するものである。
操作パッド１００には、ペンソフトリモコンボタン１０１が表示されており、このボタンをタッチすることにより、文字入力が可能となる。
【００５５】
図８は、第２実施形態における手書き入力に対する操作処理を示すフローチャートである。
これは図５のステップＳ６における操作パッド１００の操作処理についての処理動作である。
操作判定部５２は、操作検出部５１の検出結果からユーザがペンタッチリモコンボタン１０１にタッチしたかを確認する（ステップＳ１１）。ペンタッチリモコンボタン１０１をタッチしていれば、操作実行部５３は、記憶部４０より文字認識のアプリケーションを読み出し、手書き文字入力モードとなる（ステップＳ１２）。
【００５６】
ユーザが操作パッド１００のタッチパッド部１１１において、手書きの文字入力を行う（ステップＳ１３）。操作実行部５３は、アプリケーションによって文字認識を行う（ステップＳ１４）。そして、認識した文字を画像データとして生成し、表示制御部３０は、その文字画像データを表示装置２０の表示部２１に表示する（ステップＳ１５）。
【００５７】
なお、文字表示位置は、例えばカーソル操作の操作パッド１００などから、文字表示衣位置を指定しておき、そのカーソル操作の操作パッド１００から文字入力を行ってもよいし、カーソル位置が表示対象物（ウィンドウやオブジェクト）であれば、その表示対象物を操作する操作パッド１００から文字入力をしてもよい。
【００５８】
図９は、操作パッドによる手書き文字入力を示す説明図である。
ユーザが、操作パッド１００のペンタッチリモコンボタン１０１にタッチすると、ペンタッチリモコンボタン１０１は、その表示の白黒が反転して手書き文字入力モードになったことが示される。ユーザが操作パッド１００のタッチパッド部１１１において「Ｗ」と手書きで文字入力を行うと、それを文字認識して、表示部２１の画面では、指定されたオブジェクト２０２内に「Ｗ」と表示される。
【００５９】
このように、指やタッチペンによる手書文字入力も可能であり、ブラウザーの検索領域を選択した後に、手書き入力を行うことで、手書入力が文字認識され、ＷＷＷでの検索も可能となる。さらに、アプリケーション上に直接文字入力することで、プレゼンテーションを行った表示データ上に打ち合わせ履歴を付加することも可能となる。
【００６０】
また、文字表示する箇所のエリアに比べ、操作パッド１００の大きさが小さい場合には、一旦、手書文字入力を行った後に、文字表示するエリアに合せて、文字サイズや文字表示位置を変更することで、適切な文字配置が可能となる。
【００６１】
本発明による操作表示装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６３】
以上、この発明の実施形態を図面を参照して詳述してきたが、具体的な構成はこれらの実施形態に限られるものではなく、この発明の要旨を逸脱しない範囲の設計変更等された発明も含まれる。
【００６４】
本実施形態においては、平置きのテーブルディスプレイに適用した場合を述べたが、縦置きの大画面ディスプレイにおいて複数のユーザが使用する場合にも適用できる。この場合は、操作パッドをユーザが触れる位置に表示するように予め設定しておけばよい。
また、縦置きディスプレイを横置きにしたものにも当然適用できる。また、タブレット端末において複数のユーザが使用する場合にも適用できる。
【符号の説明】
【００６５】
１０      ：テーブルディスプレイ
２０      ：表示装置
２１      ：表示部
２２      ：タッチ入力部
３０      ：表示制御部
４０      ：記憶部
５０      ：制御部
５１      ：操作検出部
５２      ：操作判定部
５３      ：操作実行部
５４      ：文字認識部
１００    ：操作パッド
【図１】
2015088090.tif 000003
【図２】
2015088090.tif 000004
【図３】
2015088090.tif 000005
【図４】
2015088090.tif 000006
【図５】
2015088090.tif 000007
【図６】
2015088090.tif 000008
【図７】
2015088090.tif 000009
【図８】
2015088090.tif 000010
【図９】
2015088090.tif 000011